(57)【要約】      （修正有） 【課題】遊技用媒体収納箱の底部の環状突出部が重なるようにするのみで、積層のための方向性をもたせないで嵌合できる。【解決手段】遊技用媒体収納箱は、前記底部４外面より下方に突出する矩形状の環状突出部７と、該環状突出部７の斜めに向かい合う第１の組の角部８ａに形成されるとともに、前記環状突出部７の周縁より該環状突出部の幅方向の中央側に寄った位置の表面より突出する第１のコーナーリブ９と、前記環状突出部の斜めに向かい合う第２の組の角部８ｂに形成されるとともに、前記環状突出部の周縁部もしくは周縁部より膨出する部分の表面より突出する第２のコーナーリブとを備え、かつ、２つの前記第１のコーナーリブの頂点および２つの前記第２のコーナーリブの頂点は、ほぼ同一平面上に位置するものとなっている遊技用媒体収納箱。【選択図】図３
0003125329.tif 000002
【実用新案登録請求の範囲】
【請求項１】
メダル遊技機または弾球遊技機に使用される遊技用媒体を収納するための遊技用媒体収納箱であり、かつ、２つの遊技用媒体収納箱を底部外面を向かい合わせて積層可能な遊技用媒体収納箱であって、
該遊技用媒体収納箱は、前記底部外面より下方に突出する矩形状の環状突出部と、該環状突出部の斜めに向かい合う第１の組の角部に形成されるとともに、前記環状突出部の周縁より該環状突出部の幅方向の中央側に寄った位置の表面より突出する第１のコーナーリブと、前記環状突出部の斜めに向かい合う第２の組の角部に形成されるとともに、前記環状突出部の周縁部もしくは周縁部より膨出する部分の表面より突出する第２のコーナーリブとを備え、かつ、２つの前記第１のコーナーリブの頂点および２つの前記第２のコーナーリブの頂点は、ほぼ同一平面上に位置するものとなっており、さらに、前記底部外面が上方となるように配置された前記遊技用媒体収納箱の上に他の前記遊技用媒体収納箱を載置したとき、前記第１のコーナーリブの内側もしくは外側に前記第２のコーナーリブが当接可能に近接するものであることを特徴とする遊技用媒体収納箱。
【請求項２】
メダル遊技機または弾球遊技機に使用される遊技用媒体を収納するための遊技用媒体収納箱であり、かつ、２つの遊技用媒体収納箱を底部外面を向かい合わせて積層可能な遊技用媒体収納箱であって、
該遊技用媒体収納箱は、前記底部外面より下方に突出する矩形状の環状突出部と、該環状突出部の斜めに向かい合う第１の組の角部に形成されるとともに、前記環状突出部の周縁より該環状突出部の幅方向の中央側に寄った位置の表面より突出する第１のコーナーリブと、前記環状突出部の斜めに向かい合う第２の組の角部に形成されるとともに、前記環状突出部の周縁部より内側に膨出する部分の表面より突出する第２のコーナーリブと、前記環状突出部の周縁部の該環状突出部の幅方向の外側に寄った位置の表面より突出する第３のコーナーリブとを備え、かつ、２つの前記第１のコーナーリブの頂点、２つの前記第２のコーナーリブと前記第３のコーナーリブの頂点は、ほぼ同一平面上に位置するものとなっており、さらに、前記底部外面が上方となるように配置された前記遊技用媒体収納箱の上に他の前記遊技用媒体収納箱を載置したとき、前記第１のコーナーリブは、前記第２のコーナーリブと前記第３のコーナーリブ間に侵入し、かつ、前記第２のコーナーリブまたは／および前記第３のコーナーリブと当接可能であることを特徴とする遊技用媒体収納箱。
【請求項３】
前記矩形状の環状突出部の角部は、円弧形状となっており、前記各コーナーリブは、ほぼ同じ曲率の円弧状コーナーリブである請求項１又は２に記載した遊技用媒体収納箱。
【請求項４】
前記各コーナーリブの突出高さは、ほぼ同じである請求項１ないし３のいずれかに記載の遊技用媒体収納箱。
【考案の詳細な説明】
【技術分野】
【０００１】
この考案は、スロットメダル遊技機または弾球遊技機等遊技機において使用するメダル、パチンコ玉等遊技用媒体を入れる遊技用媒体収納箱で、底部外面を向かい合わせて嵌合させて積層可能な遊技用媒体収納箱に関する。
【背景技術】
【０００２】
従来のスロット、パチンコホールにおいて、スロット用メダル、パチンコ玉を入れる収納箱、所謂ドル箱として、略矩形状の収納箱の左右両側に取手を一体形成したものは一般的である。
スロット、或いはパチンコのホールでは、遊技者がスロット遊技機、パチンコ遊技機の遊技で獲得したメダル、パチンコ玉を一杯収納したドル箱を遊技者の足元付近の床等に置いて積み重ねることが一般に行われている。
最近、床にドル箱を積み重ねるとき、沢山の収納箱が積まれているように見せるため、或いは遊技者やホールの従業員等が精算時にドル箱を持ち上げるとき、持ち上げやすくするために、空のドル箱を裏返しに床等に置いて、その上に遊技者が獲得したメダル、パチンコ玉を一杯入れたドル箱を載せることが行われている。
しかし、従来のドル箱の底部外面に設けた矩形状の環状突出部は平らで固定できないために、ドル箱に入れたメダル、パチンコ玉の偏り、或いはドル箱に外部から力がかかる等してドル箱が傾いてメダル、パチンコ玉がこぼれたり、或いは収納箱が落下してメダル等が散乱することがあった。
また、従来のドル箱では遊技者や第三者にパチンコ店からのアピールが十分できないので、ドル箱の側面にポップストッパーを設けて、このドル箱を裏返しにして敷き、その上に同じドル箱を載せて、下に敷いたドル箱のポップストッパーと上に載せるドル箱のポップストッパーとの間にポップや広告媒体を挟み込むようにしたこと、ドル箱底面に凹凸ストッパーを設けて、ドル箱を積み上げた時、安定させ固定させて広告媒体を挟み込むものがある（特許文献１参照）。
【０００３】
【特許文献１】実用新案登録第３１１３８０６号
【考案の開示】
【考案が解決しようとする課題】
【０００４】
上記特許文献１のパチンコ玉スロットメダル収納箱は、ドル箱底面についた凹凸ストッパーによって、ドル箱を積み上げた時に、安定させ固定することが記載されているが、ドル箱にがたつきを生じる恐れがあり、かつドル箱の底部同士を嵌める際に合わせにくくて使い勝手が悪いという問題があった。
【０００５】
この考案は従来のこのような問題点を解消するもので、安定して置くことができ、かつ積み重ねるとき、底部の環状突出部が重なるようにするのみで、積層のための方向性をもたないため積層作業が容易で使い勝手の良い遊技用媒体収納箱を提供することを目的とする。
【課題を解決するための手段】
【０００６】
この考案の請求項１の遊技用媒体収納箱は、メダル遊技機または弾球遊技機に使用される遊技用媒体を収納するための遊技用媒体収納箱であり、かつ、２つの遊技用媒体収納箱を底部外面を向かい合わせて積層可能な遊技用媒体収納箱であって、
該遊技用媒体収納箱は、前記底部外面より下方に突出する矩形状の環状突出部と、該環状突出部の斜めに向かい合う第１の組の角部に形成されるとともに、前記環状突出部の周縁より該環状突出部の幅方向の中央側に寄った位置の表面より突出する第１のコーナーリブと、前記環状突出部の斜めに向かい合う第２の組の角部に形成されるとともに、前記環状突出部の周縁部もしくは周縁部より膨出する部分の表面より突出する第２のコーナーリブとを備え、かつ、２つの前記第１のコーナーリブの頂点および２つの前記第２のコーナーリブの頂点は、ほぼ同一平面上に位置するものとなっており、さらに、前記底部外面が上方となるように配置された前記遊技用媒体収納箱の上に他の前記遊技用媒体収納箱を載置したとき、前記第１のコーナーリブの内側もしくは外側に前記第２のコーナーリブが当接可能に近接するものであることを特徴とする。
【０００７】
この考案の請求項２の遊技用媒体収納箱は、メダル遊技機または弾球遊技機に使用される遊技用媒体を収納するための遊技用媒体収納箱であり、かつ、２つの遊技用媒体収納箱を底部外面を向かい合わせて積層可能な遊技用媒体収納箱であって、
該遊技用媒体収納箱は、前記底部外面より下方に突出する矩形状の環状突出部と、該環状突出部の斜めに向かい合う第１の組の角部に形成されるとともに、前記環状突出部の周縁より該環状突出部の幅方向の中央側に寄った位置の表面より突出する第１のコーナーリブと、前記環状突出部の斜めに向かい合う第２の組の角部に形成されるとともに、前記環状突出部の周縁部より内側に膨出する部分の表面より突出する第２のコーナーリブと、前記環状突出部の周縁部の該環状突出部の幅方向の外側に寄った位置の表面より突出する第３のコーナーリブとを備え、かつ、２つの前記第１のコーナーリブの頂点、２つの前記第２のコーナーリブと前記第３のコーナーリブの頂点は、ほぼ同一平面上に位置するものとなっており、さらに、前記底部外面が上方となるように配置された前記遊技用媒体収納箱の上に他の前記遊技用媒体収納箱を載置したとき、前記第１のコーナーリブは、前記第２のコーナーリブと前記第３のコーナーリブ間に侵入し、かつ、前記第２のコーナーリブまたは／および前記第３のコーナーリブと当接可能であることを特徴とする。
【０００８】
請求項３の考案は、請求項１又は２において、前記矩形状の環状突出部の角部は、円弧形状となっており、前記各コーナーリブは、ほぼ同じ曲率の円弧状コーナーリブである。
請求項４の考案は、請求項１ないし３のいずれかにおいて、前記各コーナーリブの突出高さは、ほぼ同じである。
【考案の効果】
【０００９】
この考案の請求項１の遊技用媒体収納箱によれば、２つの前記第１のコーナーリブの頂点および２つの前記第２のコーナーリブの頂点は、ほぼ同一平面上に位置するものとなっているので、単独にて床等においたときに、収納箱が傾くことがなく、また、コーナーリブに起因するガタツキがない。また、本考案の一つの収納箱を底部外面が上方となるように配置されて台としてその上に他の本考案の収納箱を積み重ねるとき、環状突出部が重なるようにするのみでよく、積層のための方向性をもたないため積層作業が容易である。また、２つの収納箱を上記のように積み重ねることにより、第１のコーナーリブの内側もしくは外側に第２のコーナーリブが当接可能に近接するものとなるので、ずれることなく安定した積み重ね状態となり、スロットメダル、パチンコ玉等の遊技用媒体がこぼれたりすることを防止できる。また遊技用媒体の精算時に遊技用媒体を入れた遊技用媒体収納箱を運ぶとき、裏返しとした収納箱の上に載せてあるので、遊技者或いは従業員等が持ち上げやすい。
【００１０】
この考案の請求項２の遊技用媒体収納箱によれば、２つの前記第１のコーナーリブの頂点および２つの第２のコーナーリブと第３のコーナーリブの頂点は、ほぼ同一平面上に位置するものとなっているので、単独にて床等においたときに、収納箱が傾くこと、また、コーナーリブに起因するガタツキがない。また、本考案の一つの収納箱を底部外面が上方となるように配置されて台としてその上に他の本考案の収納箱を積み重ねるとき、環状突出部が重なるようにするのみでよく、積層のための方向性をもたないため積層作業が容易である。また、２つの収納箱を上記のように積み重ねることにより、前記第１のコーナーリブは、前記第２のコーナーリブと前記第３のコーナーリブ間に侵入し、かつ、前記第２のコーナーリブまたは／および前記第３のコーナーリブと当接可能第１のコーナーリブは第２のコーナーリブまたは／および第３のコーナーリブが当接するので、ずれることなく安定した積み重ね状態となり、スロットメダル、パチンコ玉等の遊技用媒体がこぼれたりすることを防止できる。その他の効果は請求項１と同じである。
【００１１】
また、請求項３によれば、前記矩形状の環状突出部の角部は、円弧形状となっており、前記各コーナーリブは、ほぼ同じ曲率の円弧状コーナーリブであるから、相互に嵌めやすく、しかも、係止保持する役割を果たし、重ねた収納箱にずれを生ずることなく、定位置を安定して維持できる。
さらに、請求項４によれば、前記各コーナーリブの突出高さは、ほぼ同じであるから、収納箱の底部の第１のコーナーリブと第２のコーナーリブ、或いは第１のコーナーリブと第２のコーナーリブと第３のコーナーリブを遊嵌させると相互に受け止めでき、安定して積み上げできる。
【考案を実施するための最良の形態】
【００１２】
この考案の最良の実施形態を図面に基づいて説明する。図１はこの考案の遊技用媒体収納箱の斜視図、図２は同正面図、図３は同底面図、図４は同断面図、図５は遊技用媒体収納箱の底部に設けた環状突出部の角部の第１のコーナーリブの拡大底面図、図６は図５のＸ−Ｘ線の断面図、図７は遊技用媒体収納箱の底部に設けた環状突出部に設けた角部の第２のコーナーリブと第３のコーナーリブの拡大底面図、図８は図７のＹ−Ｙ線の断面図、図９は遊技用媒体収納箱の底部に設けた環状突出部の角部の第１のコーナーリブと、第２のコーナーリブと第３のコーナーリブを遊嵌した断面図を示す。
【００１３】
図１ないし図３において、この考案の遊技用媒体収納箱１は、メダル遊技機または弾球遊技機に使用される遊技用媒体を収納するための遊技用媒体収納箱である。遊技用媒体収納箱１は、例えば、スロット用メダルを約８００枚収容可能な略矩形状の合成樹脂製収納箱で、両側に取手２が設けられている。前記収納箱１は、上部の開口３から底部４までの周壁が傾斜状として上部が下部より広く形成され、底部４に外面より下方に突出する矩形状の環状突出部７が一体に形成されて、２つの遊技用媒体収納箱を底部外面を向かい合わせて積層可能とする。
遊技用媒体収納箱１と取手２は透明或いは半透明とするのが好ましい。遊技用媒体収納箱の色彩を多種類とすることにより遊技者が好みの色彩の収納箱を選択でき、或いはホールの営業者等にとって、遊技者等が遊技で獲得したメダル等遊技用媒体が一杯となった収納箱を積み重ねて置くことにより、当たりが多く出ていることを見せ、また、色々の色彩の遊技用媒体収納箱を積み重ねるとカラフルにできる。  
前記取手２は両側に断面Ｕ型部が形成され、その中央部の上面は開口３の上端より僅かな傾斜が設けられて表面が滑り止め面２ａとされ、その滑り止め面２ａの端部から前記Ｕ型に合わせて下方に湾曲してほぼ環状に形成した握り部２ｂが前記滑り止め面２ａの下面まで設けられ、かつ、この握り部２ｂと遊技用媒体収納箱１の外面との間に指の先を入れるための空間２ｃが設けられている。前記握り部２ｂは掌の指の形状に合わせた波形状として握りやすくするのが好ましい。また両側の断面Ｕ型部の下面と遊技用媒体収納箱１の外面とに取手２を補強し、かつ遊技機の受け皿の縁等に掛けるための掛止め孔２ｄを設けた支持部２ｅが設けられている。
遊技用媒体収納箱１の底部４は長手方向の中央部の任意の幅高くして両側へ傾斜状として両側を低く形成してあり、多数のメダルを俵状に並べて収納できるようにしてある。実施形態では遊技用媒体収納箱１の底面を長手方向の中央を高くしてあるが、これに限られるものでなく、平らにしても良い。
前記開口３の上部前後には所定幅の縁部５が形成され、該縁部より下方へ折り返した形状の引掛部６が形成され、遊技の際に遊技用媒体収納箱１の引掛部６を例えば、遊技機の受皿の縁等に引っ掛けることができるようにするのが好ましい。この引掛部６には広告板等を挿入することもできる。実施形態では引掛部を設けたが、引掛部はないものでもよい。
前記遊技用媒体収納箱は、前記構造に限るものではない。
【００１４】
図１ないし図３、図７において、この考案の遊技用媒体収納箱は、メダル遊技機または弾球遊技機に使用される遊技用媒体を収納するための遊技用媒体収納箱１であり、かつ、２つの遊技用媒体収納箱を底部外面を向かい合わせて積層可能な遊技用媒体収納箱１であって、
該遊技用媒体収納箱１は、前記底部４外面より下方に突出する矩形状の環状突出部７と、該環状突出部７の斜めに向かい合う第１の組の角部８ａに形成されるとともに、前記環状突出部７の周縁より該環状突出部の幅方向の中央側に寄った位置の表面より突出する第１のコーナーリブ９と、前記環状突出部７の斜めに向かい合う第２の組の角部８ｂに形成されるとともに、前記環状突出部７の周縁部もしくは周縁部より膨出する部分の表面より突出する第２のコーナーリブ１１とを備え、かつ、２つの前記第１のコーナーリブ９の頂点および２つの前記第２のコーナーリブ１１の頂点は、ほぼ同一平面上に位置するものとなっており、さらに、前記底部４外面が上方となるように配置された前記遊技用媒体収納箱１の上に他の前記遊技用媒体収納箱１を載置したとき、前記第１のコーナーリブ９の内側もしくは外側に前記第２のコーナーリブ１１が当接可能に近接するものであることを特徴とする。この実施形態の第２の組の角部には前記第１のコーナーリブ９の内側若しくは外側の少なくとも一方に第２のコーナーリブが設けられる。
この構造によれば、２つの前記第１のコーナーリブの頂点および２つの前記第２のコーナーリブの頂点は、ほぼ同一平面上に位置するものとなっているので、単独にて床等においたときに、収納箱が傾くことがなく、また、コーナーリブに起因するガタツキがない。また、本考案の一つの収納箱を底部外面が上方となるように配置されて台としてその上に他の本考案の収納箱を積み重ねるとき、環状突出部が重なるようにするのみでよく、積層のための方向性をもたないため積層作業が容易である。また、２つの収納箱を上記のように積み重ねることにより、第１のコーナーリブの内側もしくは外側に第２のコーナーリブが当接可能に近接するものとなるので、ずれることなく安定した積み重ね状態となり、スロットメダル、パチンコ玉等の遊技用媒体がこぼれたりすることを防止できる。また遊技用媒体の精算時に遊技用媒体を入れた遊技用媒体収納箱を運ぶとき、開口を下とした収納箱の上に載せてあるので、遊技者或いは従業員等が持ち上げやすい。
【００１５】
図１ないし図９において、この考案の別の遊技用媒体収納箱は、メダル遊技機または弾球遊技機に使用される遊技用媒体を収納するための遊技用媒体収納箱１であり、かつ、２つの遊技用媒体収納箱を底部外面を向かい合わせて積層可能な遊技用媒体収納箱１であって、
該遊技用媒体収納箱１は、前記底部４外面より下方に突出する矩形状の環状突出部７と、該環状突出部７の斜めに向かい合う第１の組の角部８ａに形成されるとともに、前記環状突出部７の周縁より該環状突出部７の幅方向の中央側に寄った位置の表面より突出する第１のコーナーリブ９と、前記環状突出部７の斜めに向かい合う第２の組の角部８ｂに形成されるとともに、前記環状突出部７の周縁部より内側に膨出する部分の表面より突出する第２のコーナーリブ１１と、前記環状突出部の周縁部の該環状突出部の幅方向の外側に寄った位置の表面より突出する第３のコーナーリブ１２とを備え、かつ、２つの前記第１のコーナーリブ９の頂点、２つの前記第２のコーナーリブ１１と前記第３のコーナーリブ１２の頂点は、ほぼ同一平面上に位置するものとなっており、さらに、前記底部４外面が上方となるように配置された前記遊技用媒体収納箱１の上に他の前記遊技用媒体収納箱１を載置したとき、前記第１のコーナーリブ９は、前記第２のコーナーリブ１１と前記第３のコーナーリブ１２間に侵入し、かつ、前記第２のコーナーリブ１１または／および前記第３のコーナーリブ１２と当接可能であることを特徴とする。
【００１６】
図１ないし図９において、この考案の遊技用媒体収納箱１は、前記した収納箱１の底部４外面より下方に突出する矩形状の環状突出部７が設けられ、該環状突出部７の斜めに向かい合う第１の組の角部８ａに第１のコーナーリブ９が前記環状突出部７の周縁より該環状突出部７の幅方向の中央側に寄った位置の表面より突出して形成され、かつ前記環状突出部７の斜めに向かい合う他方の組の角部８ｂに第２のコーナーリブ１１が前記環状突出部７の表面より突出して形成されている。この実施形態の第２の組の角部には前記第１のコーナーリブ９の内側に第２のコーナーリブ１１と、外側に第３のコーナーリブ１２が設けられている。第２のコーナーリブ１１が前記環状突出部７の周縁部より内側に膨出する部分の表面より突出して形成され、かつ第３のコーナーリブ１２が前記環状突出部の周縁部の該環状突出部の幅方向の外側に寄った位置の表面より突出形成されている。第１の組の角部８ａと第２の組の角部８ｂはそれぞれ矩形状の環状突出部の対角線に位置する。
前記２つの前記第１のコーナーリブ９の頂点および２つの前記第２のコーナーリブ１１と第３のコーナーリブ１２の頂点は、ほぼ同一平面上に位置するものとなっている。矩形状の環状突出部７の高さに高低がある場合でも、第１のコーナーリブ９又は第２のコーナーリブ１１と第３のコーナーリブ１２の頂点を同一平面上に位置させるので、遊技用媒体収納箱１を置いたとき、傾いたり、がたつくことはない。実施形態の遊技用媒体収納箱１では、底部４外面より下方に突出する矩形状の環状突出部７は同一高さとされており、第１のコーナーリブ９又は第２のコーナーリブ１１と第３のコーナーリブ１２の突出高さは該環状突出部７の下面より同一に設けられ、相互に当接可能に設けられている。第１のコーナーリブ９又は第２のコーナーリブ１１と第３のコーナーリブ１２は同一の高さに設けるので、遊技用媒体収納箱１を置いたとき、傾いたり、がたつくことはない。前記遊技用媒体収納箱１の底部４の中央部を若干高くした場合も、環状突出部７の下面は真っ直ぐとなるように形成され、その突出部の角部８ａと８ｂに前記と同様のコーナーリブが設けられる。
前記第１の組の角部８ａには前記環状突出部７の下端に第１のコーナーリブ９と第２または／および第３のコーナーリブが当接可能な受け面１０が設けられており、また第２の組の角部８ｂには環状突出部７の周縁部より内側に膨出する部分の表面より突出して設けられた第２のコーナーリブ１１と、前記環状突出部の周縁部の該環状突出部の幅方向の外側に寄った位置の表面より突出形成された第３のコーナーリブ１２とが設けられ、このコーナーリブ１１と１２の間は前記コーナーリブ９が侵入可能な凹部１３とされる。
【００１７】
図５ないし図８に示すように、前記矩形状の環状突出部７の角部８ａ、８ｂは、円弧形状となっており、前記各コーナーリブ９、１１、１２は、ほぼ同じ曲率の円弧状コーナーリブとしてある。この第１の円弧状コーナーリブ９と第２の円弧状コーナーリブ１１、第３の円弧状コーナーリブ１２はほぼ同じ長さに設けられている。すなわち、第１の円弧状コーナーリブ９と、第２の円弧状コーナーリブ１１、第３の円弧状コーナーリブ１２の両端までが、例えば円弧の中心角θが約９０度の範囲に設けられている。
前記第１の組の角部８ａは、第１の円弧状コーナーリブ９が幅狭の線状で前記環状突出部７の周縁より該環状突出部７の幅方向の中央側に寄った位置の表面に前記円弧状角部８ａの円弧と同じ曲率で形成されており、かつ、第１の円弧状コーナーリブ９の外側には環状突出部７の下面に第３のコーナーリブ１２を受ける所定幅の凹部１３が設けられている。前記受け面１０には、第３の円弧状コーナーリブ１２が当接可能とされ、凹部１３には第１の円弧状コーナーリブ９が当接可能とされている。
前記第２の組の角部８ｂは、環状突出部７の内側に沿って第２の円弧状コーナーリブ１１と、外側に沿って第３の円弧状コーナーリブ１２が設けられ、該コーナーリブ１１、１２間には前記第１コーナーリブ９が侵入可能な間隔があけられている。第２の円弧状コーナーリブ１１と第３の円弧状コーナーリブ１２は前記第１の円弧状コーナーリブ９と同じ幅狭の線状で同じ曲率で形成される。第２の円弧状コーナーリブ１１は前記角部８ｂの内側の周縁部或いは内側に厚み分だけ膨出した部分の表面より突出して形成され、かつ、第３の円弧状コーナーリブ１２は外面が角部８ｂの外側面と一致させて突出して形成され、第２の円弧状コーナーリブ１１と第３の円弧状コーナーリブ１２間は前記第１のコーナーリブ９が侵入可能な幅の凹部１３とされている。前記第１の円弧状コーナーリブ９の外側の受け面１０と、前記凹部１３の内面は環状突出部７の下面と同一平面とする。前記凹部１３の幅は前記第１の円弧状コーナーリブ９の厚みより広くして第１コーナーリブ９を遊嵌可能としてある。さらに、図６、図８、図９に示すように前記第１の円弧状コーナーリブ９の高さＨと第２のコーナーリブ１１、第３のコーナーリブ１２の高さＨとを同じとして、第１のコーナーリブ９を第２の円弧状コーナーリブ１１と第３の円弧状コーナーリブ１２の凹部１３に遊嵌時に第１のコーナーリブ９の頂点が凹部１３の内面に当接し、第３のコーナーリブ１２の頂点が第１のコーナーリブ９の受け面１０に当接されて相互に受け止めできる。
前記実施形態では、第１のコーナーリブを前記環状突出部７の周縁より該環状突出部７の幅方向の中央側に寄った位置の表面に設けたが、これに限るものではなく、例えば、第１のコーナーリブを該環状突出部７の幅方向の中央に設けて、第１のコーナーリブの内側と外側に受け面を形成し、この内外の受け面に第２のコーナーリブと第３のコーナーリブの頂点を当接可能にすることができる。また、第２のコーナーリブは前記角部８ｂの内側に厚み分だけ膨出した部分の表面より突出して形成される場合を説明したが、これに限られるものではなく、第３のコーナーリブの方を前記角部８ｂの外側に厚み分だけ膨出した部分の表面より突出して形成することもできる。
【００１８】
（実施例）
実施例の遊技用媒体収納箱１の底部４の矩形状の環状突出部７は、肉厚が約３ｍｍで高さが約５ｍｍ、一辺の長さが約１１ｃｍの場合で、角部８ａ、８ｂの円弧の内面の半径は約１ｃｍ以上として係合代が十分となるようにして横方向の力が加わるもずれないようにするのが好ましい。前記第１のコーナーリブ９の肉厚は約１ｍｍ、高さ約１ｍｍとされ、角部８ｂは突出部７の肉厚よりリブの厚み分膨出して、第２のコーナーリブ１１と第３のコーナーリブ１２の間の凹部１３の深さは約１ｍｍ、幅は約２ｍｍとしてあり、第１のコーナーリブ９が凹部１３に侵入して当接可能とされる。
【００１９】
図１０は２つの同じ遊技用媒体収納箱の底部を向き合わせて示す斜視図、図１１は裏返した遊技用媒体収納箱の上に同じ遊技用媒体収納箱を載置した状態の正面図、図１２は図１１のＺ−Ｚ線の断面図を示す。
図１０ないし図１２において、この考案の遊技用媒体収納箱１を裏返しに置き、その上に同じ遊技用媒体収納箱１を載せて置く場合について説明する。すなわち、前記底部４外面が上方となるように配置された前記遊技用媒体収納箱１の上に他の前記遊技用媒体収納箱１を載置したとき、前記第１のコーナーリブ９は、前記第２のコーナーリブ１１と前記第３のコーナーリブ１２間に侵入し、かつ、前記第２のコーナーリブ１１または／および前記第３のコーナーリブ１２と当接される。
従って、２つの前記第１のコーナーリブの頂点および２つの前記第２のコーナーリブと第３のコーナーリブの頂点は、ほぼ同一平面上に位置するものとなっているので、単独にて床等においたときに、遊技用媒体収納箱が傾くことがなく、また、コーナーリブに起因するガタツキがない。また、前記環状突出部の第１の組の角部のコーナーリブと、他方の組の角部のコーナーリブとを相互に嵌合可能としたので、本考案の一つの遊技用媒体収納箱を底部外面が上方となるように配置されて台としてその上に他の本考案の遊技用媒体収納箱を積み重ねるとき、環状突出部が重なるようにするのみでよく、積層のための方向性をもたないため積層作業が容易である。そして、２つの収納箱を上記のように積み重ねることにより、第１のコーナーリブが第２のコーナーリブと第３のコーナーリブとの間に当接可能に近接するものとなるので、ずれることなく安定した積み重ね状態となり、スロットメダル、パチンコ玉等の遊技用媒体がこぼれたりすることを防止できる。
また、四隅で遊嵌する第１のコーナーリブと第２のコーナーリブ、第３のコーナーリブは幅があり、遊技用媒体の荷重がかかるも損傷することなく、また、開口を下にした遊技用媒体収納箱の上に遊技用媒体を入れた収納箱を載せて高くするので、遊技者、従業員が運ぶとき、取手に手を掛けやすく、持ち上げやすい。
また、前記突出部７に設ける角部８ａの第１のコーナーリブ９と、角部８ｂの第２のコーナーリブ１１と第３のコーナーリブ１２は同じ高さとしたので、開口３を下にして置いた遊技用媒体収納箱１の上に同じ遊技用媒体収納箱１載せて第１のコーナーリブ９と第２のコーナーリブ１１または／および第３のコーナーリブ１２を相互に遊嵌したとき、第１のコーナーリブ９と第２のコーナーリブ１１または／および第３のコーナーリブ１２で対向側の遊技用媒体収納箱の四隅の角部を受け止めるので、スロットメダル等遊技用媒体の荷重がかかるも角部、収納箱に変形を生ずることがなく安定して積層できる。
且つ又、前記突出部の四隅の角部は円弧状に形成されており、第１のコーナーリブと第２のコーナーリブおよび第３のコーナーリブも同じ曲率の円弧に設けられ、相互に遊嵌することにより遊技用媒体収納箱を係止保持する役割を果たし、遊技用媒体収納箱がずれを生ずることがない。
【００２０】
以上の実施形態を示したが、この考案はこの形態に限定されるものではなく、この考案の要旨を逸脱しない範囲で、種々の形態を実施しうるものである。    
【図面の簡単な説明】
【００２１】
【図１】この考案の遊技用媒体収納箱の斜視図である。
【図２】同正面図である。
【図３】同底面図である。
【図４】同断面図である。
【図５】遊技用媒体収納箱の底部に設けた環状突出部の角部の第１のコーナーリブの拡大底面図である。
【図６】図５のＸ−Ｘ線の断面図である。
【図７】遊技用媒体収納箱の底部に設けた環状突出部に設けた角部の第２のコーナーリブと第３のコーナーリブの拡大底面図である。
【図８】図７のＹ−Ｙ線の断面図である。
【図９】遊技用媒体収納箱の底部に設けた環状突出部の角部の第１のコーナーリブと、第２のコーナーリブと第３のコーナーリブを遊嵌した断面図である。
【図１０】２つの同じ遊技用媒体収納箱の底部同士を向き合わせて示す斜視図である。
【図１１】裏返した遊技用媒体収納箱の上に同じ遊技用媒体収納箱を底部同士を遊嵌して載置した状態の正面図である。
【図１２】図１１のＺ−Ｚ線の断面図ある。
【符号の説明】
【００２２】
１  遊技用媒体収納箱
２  取手
４  底部
７  環状突出部
８ａ  角部
８ｂ  角部
９  第１のコーナーリブ
１０  受け面
１１  第２のコーナーリブ
１２  第３のコーナーリブ
１３  凹部
【図１】
0003125329.tif 000003
【図２】
0003125329.tif 000004
【図３】
0003125329.tif 000005
【図４】
0003125329.tif 000006
【図５】
0003125329.tif 000007
【図６】
0003125329.tif 000008
【図７】
0003125329.tif 000009
【図８】
0003125329.tif 000010
【図９】
0003125329.tif 000011
【図１０】
0003125329.tif 000012
【図１１】
0003125329.tif 000013
【図１２】
0003125329.tif 000014